(57)【要約】　　　（修正有）【課題】透明な印鑑基材の内部に収容された立体状物や絵柄が、印鑑基材のレンズ効果により、立体感のある状態で外部から観察される構造の印鑑（装飾印鑑）を提供する。【解決手段】透明性を有した材質より成る印鑑基材１の内部に、少なくとも１つの立体状物体２、平板状物体、フィルム状物体又は所望形状の箔片状物が収容されている構造を有する。又、本考案の装飾印鑑は、透明性を有した材質より成る実質的に円柱状の印鑑基材の中心軸を通る平面の位置に、所望の絵柄が表されたシート体又は印刷部が設けられている。【効果】印鑑基材の内部には様々な着色物体を封入することができ、平面的な物体を封入した場合であっても外部から見た際に立体的に観察されるので、本装飾印鑑は非常に意匠性に優れた製品である。【選択図】　図１
0003100350.tif 000002
【実用新案登録請求の範囲】
【請求項１】
透明性を有した材質より成る印鑑基材の内部に、少なくとも１つの立体状物体、平板状物体、フィルム状物体又は所望形状の箔片状物が収容されていることを特徴とする装飾印鑑。
【請求項２】
透明性を有した材質より成る実質的に円柱状の印鑑基材の中心軸を通る平面の位置に、所望の絵柄が表されたシート体又は印刷部が設けられていることを特徴とする装飾印鑑。
【考案の詳細な説明】
【技術分野】
【０００１】
　本考案は、印鑑基材の内部に収容された立体状物や絵柄が外部から立体感のある状態で観察される構造を有し、非常に意匠性に優れた印鑑に関するものである。
【背景技術】
【０００２】
　これまでに、印鑑の表面に金箔加飾を施した印材（特開平１０−１１９４０２号公報）や、透明筒体の内周面に沿って絵柄付きシート体を設けた印鑑基材（特開２００３−１７５６６２号公報）が提案されているが、これらの印鑑の場合、印鑑周面に設けられた曲面状の柄が外部から観察されるだけなので、立体感のある絵柄は発現しない。また、透明な円筒体の内部に小さな彫刻像を収容した構造のもの（登録実用新案第３００１０６１号公報）も提案されているが、外部から彫刻像が普通に観察されるに過ぎない。
【考案の開示】
【考案が解決しようとする課題】
【０００３】
　本考案は、透明な印鑑基材の内部に収容された立体状物や絵柄が、印鑑基材のレンズ効果によって、立体感のある状態で外部から観察される構造の印鑑（装飾印鑑）を提供することを課題とする。
【課題を解決するための手段】
【０００４】
　上記課題を解決可能な本考案の装飾印鑑は、透明性を有した材質より成る印鑑基材の内部に、少なくとも１つの立体状物体、平板状物体、フィルム状物体又は所望形状の箔片状物が収容されていることを特徴とする。
　又、本考案の装飾印鑑は、透明性を有した材質より成る実質的に円柱状の印鑑基材の中心軸を通る平面の位置に、所望の絵柄が表されたシート体又は印刷部が設けられていることを特徴とするものでもある。
【考案の効果】
【０００５】
　本考案の装飾印鑑の場合、透明な印鑑基材の内部に収容（封入）された立体状物や絵柄が、実質的に柱状である印鑑基材の凸レンズ効果によって立体感のある状態で外部から観察され、特に印鑑基材の中心軸を通る平面の位置に、所望の絵柄が表されたシート体や印刷部が設けられたものにあっては、印刷された絵柄が平面的であるにもかからわず外部から観察した際には非常に立体感のあるものとなる。
【考案を実施するための最良の形態】
【０００６】
　以下、図面に本考案の装飾印鑑の具体例を挙げて本考案を説明するが、本考案はこれらに限定されるものではない。
　図１は、透明性を有した材質より成る印鑑基材１の内部に、当該印鑑基材の中心軸上に星形の立体状物体２が３個配置された構造を有する本考案の装飾印鑑の外観を示す図であり、（ａ）は正面図、（ｂ）は側面図である。
　本考案の装飾印鑑の印鑑基材１は、透明性が優れている点からアクリル樹脂（ポリメチルメタクリレート樹脂）製のものが一般的であるが、印鑑基材１内に封入された立体状物体２が外部から観察可能な透明性のある材質であれば、これに限定されるものではない。又、図１に例示した印鑑基材１は、上方側が半球状に加工された円柱体であるが、横断面形状が四角形の柱状体であっても、横断面形状が多角形の柱状体であっても良い。
　そして、この印鑑基材１の内部に収容される立体状物体２の種類についても特に限定されるものではなく、各種形状のプラスチック製小物（ビーズなど）や陶器製小物の他に、スクリーン印刷により片面に又は両面に絵柄が表されたアクリル板、ベネチアンガラス、スパンコール、使用者個人のメモリアル品、組紐、写真などが挙げられる。また、本考案にあっては、立体状物体２として、所望形状の箔片状物（例えば金箔や、アルミ蒸着されたプラスチックフィルムを所望形状に切断したものなど）が印鑑基材１内のランダムな位置に複数個配置されて封入されても良い。
【０００７】
　図２は、透明性を有した材質より成る実質的に円柱状の印鑑基材１の中心軸を通る平面の位置に、所望の絵柄が表された印刷部３が設けられた構造を有する本考案の装飾印鑑の外観を示す図であり、（ａ）は正面図、（ｂ）は側面図である。
　図２の構造を有した本考案の装飾印鑑を製造する場合、印鑑基材１の中心軸を通る平面に直接、スクリーン印刷等により印刷部３を形成させ、その後、この印鑑基材を成形型内に配置し、印刷部３の表面が覆われるようにして硬化可能な透明性樹脂（好ましくはポリメチルメタクリレートモノマー）を流し込み、硬化後に切削、研磨加工を行っても良いし、あるいは、予めアクリル板の表面にスクリーン印刷などにより所望の印刷部（絵柄部）を設けたものを準備し、このアクリル板を成形型内に配置して、その両面に上記の透明性樹脂を流し込み、硬化後に切削、研磨加工を行っても良い。
　以下、実施例として、図２に示される構造の本考案の装飾印鑑の製造例を説明する。
【実施例】
【０００８】
　予め、透明なアクリル板（２ｍｍ厚）の表面にスクリーン印刷により絵柄を設けたものを準備した。そして、このアクリル板の印刷部が印鑑基材の中心軸を通る平面に位置するようにして成形型内に配置し、アクリル板の両面に市販のポリメチルメタクリレートモノマーを流し込み、樹脂を硬化させた後、成形品を型から取り出し、これを所望の印鑑の大きさに切削加工し、最後に印鑑基材の周面を研磨加工することによって、図２に示される構造の本考案の装飾印鑑を製造した。
　このようにして得られた本考案の装飾印鑑は、外部から観察した際、スクリーン印刷により形成された平面的な絵柄が、その周囲を取り囲む透明性樹脂のレンズ効果により立体感のある状態で観察され、非常に意匠性に富んだ製品であった。
【産業上の利用可能性】
【０００９】
　本考案の装飾印鑑の印鑑基材の内部には様々な着色物体を封入することができ、平面的な物体を封入した場合であっても外部から見た際に立体的に観察されるので、本考案の装飾印鑑は非常に意匠性に優れた製品であり、又、印鑑の所有者に関連のあるものや、思い出の品物を封入することによってオリジナリティに富むものとなり、本考案は充分な産業上の利用可能性を有している。
【図面の簡単な説明】
【００１０】
【図１】透明性を有した材質より成る印鑑基材１の内部に、当該印鑑基材の中心軸上に星形の立体状物体２が３個配置された構造を有する本考案の装飾印鑑の外観を示す図であり、（ａ）は正面図、（ｂ）は側面図である。
【図２】透明性を有した材質より成る実質的に円柱状の印鑑基材１の中心軸を通る平面の位置に、所望の絵柄が表された印刷部３が設けられた構造を有する本考案の装飾印鑑の外観を示す図であり、（ａ）は正面図、（ｂ）は側面図である。
【符号の説明】
【００１１】
１　印鑑基材
２　立体状物体
３　印刷部（印刷層）
【図１】
0003100350.tif 000003
【図２】
0003100350.tif 000004